(57)【要約】【課題】  同期コードワードのパリティ情報を用いたＤＣ成分抑圧可能データ変調方法及び装置を提供する。【解決手段】  入力データを多重化情報により多重化し、多重化されたデータストリームに対して多重化情報を含む同期コードワードの挿入及び変調を行ってそれぞれの変調されたデータストリームを出力し、それぞれの変調されたデータストリームのうちＤＣ成分の最も小さいデータストリームを選択し、同期コードワード内にパリティを調整できるビットを置いて同期コードワードのパリティが偶数か奇数かによって入力データを多重化することによってコード率を落とさずに変調後のコードワードストリームに含まれているＤＣ成分を効率よく抑圧しうる。【選択図】      図１
2004282753.tif 000002
【特許請求の範囲】
【請求項１】
入力データを多重化情報により多重化する段階と、
多重化されたデータストリームに対して多重化情報を含む同期コードワードの挿入及び変調を行ってそれぞれの変調されたデータストリームを出力する段階と、
前記それぞれの変調されたデータストリームのうちＤＣ成分の最も小さなデータストリームを選択する段階とを含むデータ変調方法。
【請求項２】
同期コードワードのパリティ（ビット１の数）が偶数か奇数かによって前記入力データを多重化するための多重化情報を決定する段階をさらに含むことを特徴とする請求項１に記載のデータ変調方法。
【請求項３】
パリティ調整用ビットを０または１に変えることによって前記同期コードワード内のパリティを調整する段階をさらに含むことを特徴とする請求項２に記載のデータ変調方法。
【請求項４】
前記同期コードワードは同期ボディ及びパリティ制御が可能な多重化ＩＤで構成されていることを特徴とする請求項２に記載のデータ変調方法。
【請求項５】
前記同期コードワードは同期ボディ、同期ＩＤ及びパリティ制御が可能な多重化ＩＤで構成されていることを特徴とする請求項２に記載のデータ変調方法。
【請求項６】
前記同期コードワードは同期ボディと同期ＩＤ、パリティ制御が可能な多重化ＩＤを兼用可能に構成されていることを特徴とする請求項２に記載のデータ変調方法。
【請求項７】
ｍビットのソースデータを最小拘束長ｄと最大拘束長ｋとに制限しつつ、ｎビット（ｎ≧ｍ）のコードワードに変換するデータ変調方法において、
一定長さに分割された入力データを不連続的にスクランブルして多重化情報により多重化する段階と、
多重化されたデータストリームに対して多重化情報を含む同期コードワードの挿入及びＲＬＬ変調を行ってそれぞれの変調されたデータストリームを出力する段階と、
前記それぞれの変調されたデータストリームのうちＤＣ成分の最も小さなデータストリームを選択する段階とを含むデータ変調方法。
【請求項８】
同期コードワードのパリティ（ビット１の数）が偶数か奇数かによって前記入力データを多重化するための多重化情報を決定する段階をさらに含むことを特徴とする請求項７に記載のデータ変調方法。
【請求項９】
パリティ調整用ビットを０または１に変えることによって前記同期コードワード内のパリティを調整する段階をさらに含むことを特徴とする請求項８に記載のデータ変調方法。
【請求項１０】
前記同期コードワードは最大拘束長ｋ条件に違反する最長のランレングスを有する所定のパターンを有する同期ボディ及びパリティ制御が可能な多重化ＩＤで構成されていることを特徴とする請求項８に記載のデータ変調方法。
【請求項１１】
前記同期コードワードは最大拘束長ｋ条件に違反する最長のランレングスを有する所定のパターンを有する同期ボディ、同期ＩＤ及びパリティ制御が可能な多重化ＩＤで構成されていることを特徴とする請求項８に記載のデータ変調方法。
【請求項１２】
前記同期コードワードは最大拘束長ｋ条件に違反する最長のランレングスを有する所定のパターンを有する同期ボディと同期ＩＤ、パリティ制御が可能な多重化ＩＤを兼用可能に構成されていることを特徴とする請求項８に記載のデータ変調方法。
【請求項１３】
前記多重化段階は、
２つの多重化されたデータ列に対し、先頭の１ビットの多重化情報とその直後のｍビットのデータ（最初の符号変調単位）との排他的論理和演算により前記入力データから変換されたデータを生成する段階と、
２番目の符号変調単位からｑ−１番目（ｑ：スクランブル間隔指数）の符号変調単位までは排他的論理和演算処理がなされずにそのまま出力する段階と、
前記最初の符号変調単位の前記変換されたデータとｑ番目の符号変調単位との排他的論理和演算により前記入力データから次の変換データを生成する段階と、
ｑ番目の符号変調単位毎に前記入力データ列の最終の符号変調単位まで追加的な排他的論理和演算を反復的に行う段階とを含むことを特徴とする請求項８に記載のデータ変調方法。
【請求項１４】
前記ＲＬＬ変調段階ではＤＣ−ｆｒｅｅではあるが、ＤＣ成分抑圧性能が十分でないｗｅｅｋ  ＤＣ−ｆｒｅｅ  ＲＬＬ変調を行うことを特徴とする請求項８に記載のデータ変調方法。
【請求項１５】
入力データを多重化情報により多重化する多重化手段と、
多重化されたデータストリームに対して多重化情報が含まれている同期コードワードの挿入及び変調を行ってそれぞれの変調されたデータストリームを出力する変調手段と、
前記それぞれの変調されたデータストリームのうちＤＣ成分の最も小さなデータストリームを選択する選択手段と、を含むデータ変調装置。
【請求項１６】
前記入力データを多重化するための多重化情報は同期コードワードのパリティ（ビット１の数）が偶数か奇数かによって決定されることを特徴とする請求項１５に記載のデータ変調装置。
【請求項１７】
前記同期コードワード内にパリティの調整はパリティ調整用ビットを０または１に変えることによって行うことを特徴とする請求項１５に記載のデータ変調装置。
【請求項１８】
前記同期コードワードは同期ボディ及びパリティ制御が可能な多重化ＩＤで構成されていることを特徴とする請求項１５に記載のデータ変調装置。
【請求項１９】
前記同期コードワードは同期ボディ、同期ＩＤ及びパリティ制御が可能な多重化ＩＤで構成されていることを特徴とする請求項１５に記載のデータ変調装置。
【請求項２０】
前記同期コードワードは同期ボディと同期ＩＤ、パリティ制御が可能な多重化ＩＤが兼用可能に構成されていることを特徴とする請求項１５に記載のデータ変調装置。
【請求項２１】
ｍビットのソースデータを最小拘束長ｄ及び最大拘束長ｋに制限しつつ、ｎビット（ｎ≧ｍ）のコードワードに変換するデータ変調装置において、
一定長さに分割された入力データを不連続的にスクランブルして多重化情報により多重化する擬似スクランブル多重化手段と、
多重化されたデータストリームに対して多重化情報を含む同期コードワードの挿入及びＲＬＬ変調を行ってそれぞれの変調されたデータストリームを出力する変調手段と、
前記それぞれの変調されたデータストリームのうちＤＣ成分の最も小さなデータストリームを選択する選択手段と、を含むデータ変調装置。
【請求項２２】
前記入力データを多重化するための多重化情報は同期コードワードのパリティ（ビット１の数）が偶数か奇数かによって決定されることを特徴とする請求項２１に記載のデータ変調装置。
【請求項２３】
前記同期コードワード内にパリティの調整はパリティ調整用ビットを０または１に変えることによって行うことを特徴とする請求項２２に記載のデータ変調装置。
【請求項２４】
前記同期コードワードは最大拘束長ｋ条件に違反する最長のランレングスを有する所定のパターンを有する同期ボディ及びパリティ制御が可能な多重化ＩＤで構成されていることを特徴とする請求項２２に記載のデータ変調装置。
【請求項２５】
前記同期コードワードは最大拘束長ｋ条件に違反する最長のランレングスを有する所定のパターンを有する同期ボディ、同期ＩＤ及びパリティ制御が可能な多重化ＩＤで構成されていることを特徴とする請求項２２に記載のデータ変調装置。
【請求項２６】
前記同期コードワードは最大拘束長ｋ条件に違反する最長のランレングスを有する所定のパターンを有する同期ボディと同期ＩＤ、パリティ制御が可能な多重化ＩＤを兼用可能に構成されていることを特徴とする請求項２２に記載のデータ変調装置。
【請求項２７】
前記擬似スクランブル多重化手段は２種類の多重化されたデータ列に対してスクランブル間隔指数ｑ番目毎に１つずつ配置された排他的論理和素子を含み、
先頭の１ビットの多重化情報とその直後のｍビットのデータ（最初の符号変調単位）との排他的論理和演算により前記入力データから変換されたデータを生成し、２番目の符号変調単位からｑ−１番目の符号変調単位までは排他的論理和演算をせずにそのまま出力し、前記最初の符号変調単位の前記変換されたデータとｑ番目の符号変調単位との排他的論理和演算により次の変換データを生成し、ｑ番目の符号変調単位毎に前記入力データ列の最終の符号変調単位まで追加的な排他的論理和演算を反復的に行うことを特徴とする請求項２２に記載のデータ変調装置。
【請求項２８】
前記変調手段は、
２つの多重化されたデータストリームに対して多重化情報を含む同期コードワードを挿入する第１及び第２同期コードワード挿入器と、
ＤＣ−ｆｒｅｅではあるが、ＤＣ成分抑圧性能が十分でないｗｅｅｋ  ＤＣ−ｆｒｅｅ  ＲＬＬ変調を行う第１及び第２ＤＣ−ｆｒｅｅ  ＲＬＬエンコーダとを含むことを特徴とする請求項２２に記載のデータ変調装置。
【請求項２９】
前記第１及び第２ＤＣ−ｆｒｅｅ  ＲＬＬエンコーダでは別途の付加ビットが付加されたＤＣ成分抑圧制御変換表を使用せず、所定拘束長条件に合うコードワードを生成し、前記拘束長条件別にコードワードでグルーピングし、ソースワードに対するコード列がＤＣ制御能力を有するようにコードワードで配されている主コード変換表と前記所定の拘束長条件を満たし、前記主コード変換表で必要でないコードワードを取ってＤＣ成分抑圧制御用補助変換表を用いてＲＬＬ変調を行うことを特徴とする請求項２８に記載のデータ変調装置。
【請求項３０】
入力データを同期コードワードのパリティデータにより多重化する段階と、
前記多重化された入力データに対して前記パリティデータを含む同期コードワードを挿入して多重化されたデータストリームを生成する段階と、
挿入された前記同期コードワードを有する前記多重化されたデータストリームにデータ変調を行ってそれぞれの変調されたデータストリームを出力する段階と、
前記変調されたデートストリームのうちＤＣ成分の最も小さなデータストリームを選択して出力する段階とを含むデータ変調方法。
【請求項３１】
ｍビットのソースデータを最小拘束長ｄ及び最大拘束長ｋに制限しつつｎビット（ｎ≧ｍ）のコードワードに変換するデータ変調方法において、
一定長さに分割された入力データを間欠的に再配列することによって同期コードワードのパリティデータにより前記入力データを多重化し、多重化されたデータストリームを生成する段階と、
前記多重化されたデータストリームに対して前記パリティデータを含む同期コードワードを挿入する段階と、
挿入された前記同期コードワードを有する前記多重化されたデータストリームにＲＬＬ変調を行ってそれぞれの変調されたデータストリームを出力する段階と、
前記それぞれの変調されたデータストリームのうちＤＣ成分の最も小さなデータストリームを選択して出力する段階とを含むデータ変調方法。
【請求項３２】
入力データを同期コードワードのパリティデータにより多重化し、多重化されたデータストリームを生成する多重化手段と、
前記多重化されたデータストリームに対して前記パリティ情報を含む同期コードワードを挿入し、挿入された前記同期コードワードを有する前記多重化された入力データストリームに変調を行い、それぞれの変調されたデータストリームを出力する変調手段と、
前記それぞれの変調されたデータストリームのうちＤＣ成分の最も小さなデータストリームを選択して出力する選択手段とを含むデータ変調装置。
【請求項３３】
ｍビットのソースデータを最小拘束長ｄ及び最大拘束長ｋに制限しつつｎビット（ｎ≧ｍ）のコードワードに変換するデータ変調装置において、
一定長さに分割された入力データを間欠的に再配列することによって同期コードワードのパリティデータにより前記入力データを多重化し、多重化されたデータストリームを生成する擬似スクランブル多重化手段と、
前記多重化されたデータストリームに対して前記パリティデータを含む同期コードワードを挿入し、挿入された前記同期コードワードを有する前記多重化されたデータストリームにＲＬＬ変調を行い、それぞれの変調されたデータストリームを出力する変調手段と、
前記それぞれの変調されたデータストリームのうちＤＣ成分の最も小さなデータストリームを選択して出力する選択手段とを含むデータ変調装置。
【発明の詳細な説明】
【技術分野】
【０００１】
本発明はデータ変調分野に係り、特に同期コードワードのパリティ情報を用いてＤＣ成分抑圧が可能なデータ変調方法及び装置に関する。
【背景技術】
【０００２】
ＤＣ成分抑圧能力のない変調コードにＤＣ成分抑圧能力を与えるための方法のうちマルチモードコーディング方法がある。これは入力データ列にａビットの付加情報を挿入し、この付加情報によって２ａの異なるランダムデータ列を作り、その２ａのランダムデータ列にＤＣ成分抑圧能力のない変調を行っても、その中で最もＤＣ成分の小さい変調されたデータ列を選択することによってＤＣ成分抑圧能力を有させる方法である。
【０００３】
このようにａビットの付加情報を用いて入力データ列を２ａの異なるランダムデータ列に変換する従来の多重化方法は入力データに対して連続してデータスクランブルを実施してＲＬＬ（Ｒｕｎ  Ｌｅｎｇｔｈ  Ｌｉｍｉｔｅｄ）ストリームで伝送している。しかし、データ逆変換時に伝送されたＲＬＬストリームにエラーが発生すれば、エラーが発生したデータだけでなくその次のデータまでもエラーが伝播される問題点がある。このようなエラー伝播特性はスクランブルを用いたマルチモードコーディング方式の一般的な特徴であると言える。
【０００４】
また、従来には連続したスクランブルを通じて多重化及びランダム化されたデータ列に同期コードワードと多重化ＩＤのための別途の追加ビットを挿入するか、同期コードワードとは別途に多重化ＩＤをデータブロックの大きさによって挿入する場合には多重化ＩＤに係る付加ビットが増加した。
【特許文献１】米国特許第６，００２，７１８号
【発明の開示】
【発明が解決しようとする課題】
【０００５】
したがって、本発明の目的は、コード率を落とさずに変調後のコードワードストリームに含まれているＤＣ成分をさらに効率よく抑圧できるデータ変調方法及び装置を提供するところにある。
【０００６】
本発明の他の目的は、同期コードワード内にパリティを調整できるビットを置いて同期コードワードのパリティによって入力データを多重化してＤＣ成分抑圧能力が向上するデータ変調方法及び装置を提供するところにある。
【０００７】
本発明のさらに他の目的は、同期コードワード内に多重化ＩＤを含め、この多重化ＩＤ内にパリティを置いて全体同期コードワードのパリティを制御して変調後のコードワードストリームに含まれているＤＣ成分をさらに効率よく抑圧するデータ変調方法及び装置を提供するところにある。
【課題を解決するための手段】
【０００８】
本発明に係る前記目的は、入力データを多重化情報により多重化する段階と、多重化されたデータストリームに対して多重化情報を含む同期コードワードの挿入及び変調を行ってそれぞれの変調されたデータストリームを出力する段階と、前記それぞれの変調されたデータストリームのうちＤＣ成分の最も小さいデータストリームを選択する段階とを含むデータ変調方法により達成される。
【０００９】
また、本発明は、ｍビットのソースデータを最小拘束長ｄと最大拘束長ｋとに制限しつつ、ｎビット（ｎ≧ｍ）のコードワードに変換するデータ変調方法において、一定長さに分割された入力データを不連続的にスクランブルして多重化情報により多重化する段階と、多重化されたデータストリームに対して多重化情報を含む同期コードワードの挿入及びＲＬＬ変調を行ってそれぞれの変調されたデータストリームを出力する段階と、前記それぞれの変調されたデータストリームのうちＤＣ成分の最も小さなデータストリームを選択する段階とを含むデータ変調方法により達成される。
【００１０】
本発明の他の分野によれば、前記目的は、入力データを多重化情報により多重化する多重化手段と、多重化されたデータストリームに対して多重化情報が含まれている同期コードワードの挿入及び変調を行ってそれぞれの変調されたデータストリームを出力する変調手段と、前記それぞれの変調されたデータストリームのうちＤＣ成分の最も小さなデータストリームを選択する選択手段と、を含むデータ変調装置により達成される。
【００１１】
また、本発明は、ｍビットのソースデータを最小拘束長ｄ及び最大拘束長ｋに制限しつつｎビット（ｎ≧ｍ）のコードワードに変換するデータ変調装置において、一定長さに分割された入力データを間欠的に再配列することによって同期コードワードのパリティデータにより前記入力データを多重化し、多重化されたデータストリームを生成する擬似スクランブル多重化手段と、前記多重化されたデータストリームに対して前記パリティデータを含む同期コードワードを挿入し、挿入された前記同期コードワードを有する前記多重化されたデータストリームにＲＬＬ変調を行い、それぞれの変調されたデータストリームを出力する変調手段と、前記それぞれの変調されたデータストリームのうちＤＣ成分の最も小さなデータストリームを選択して出力する選択手段とを含むデータ変調装置により達成される。
【発明の効果】
【００１２】
本発明は同期コードワード内にパリティを調整できるビットを置いて同期コードワードのパリティが偶数か奇数かによって入力データを多重化することによってコード率を落とさずに変調後のコードワードストリームに含まれているＤＣ成分をさらに効率よく抑圧できる。
【発明を実施するための最良の形態】
【００１３】
以下、添付した図面に基づいて本発明の望ましい実施例を説明する。
【００１４】
図１は、本発明に係るデータ変調装置の一実施例に係るブロック図であって、本発明の目的を達成するために同期コードワードを変調後のコードワードストリームのＤＣ成分を抑圧するための用途として使用する。
【００１５】
図１において、入力データ列は式（１）に示されたようにｘ＝（ｘ０，ｘ１，．．．，ｘｋ−１）と表示でき、ｖＸｕ分割器１０で入力データ列を式（２）に示されたようにｖＸｕ（＝ｋ）に分割するが、すなわち入力データ列をｕバイトの長さを有するｖ個のデータ列に分割される。
【００１６】
【数１】
2004282753.tif 000003
【００１７】
【数２】
2004282753.tif 000004
ここで、ｘｉ，ｊ  ＝  ｘｉｘｕ＋ｊである。
【００１８】
擬似スクランブルを用いた多重化器２０は分割器１０により分割されたｖＸｕのそれぞれのデータ列に１ビットの多重化情報を付して２つのデータ列に多重化した後、付加された多重化情報１ビットによって２つの擬似ランダムデータに変換する。
【００１９】
擬似ランダムデータへの変換が終われば、式（３）及び式（４）のように１つのｕバイトの長さを有するデータ列
【００２０】
【数３】
2004282753.tif 000005
に対して２つに多重化された相異なる内容のｕバイトのデータが備えられる。
【００２１】
【数４】
2004282753.tif 000006
【００２２】
【数５】
2004282753.tif 000007
ここで、ｕ−１はｑの倍数、ｐ＝０，１，．．．，ｒ，ｒ＝（ｕ−１）／ｑの商である。
【００２３】
【数６】
2004282753.tif 000008
は多重化情報１ビットを用いて入力データ列
【００２４】
【数７】
2004282753.tif 000009
に対して２つのランダムデータにした結果を意味する。
【００２５】
同期コードワード挿入器３０の第１及び第２同期／多重化ＩＤ挿入器３１、３２は付加された多重化情報の１ビットによる２つに多重化された擬似ランダムデータ列に対し、すなわち、多重化情報により多重化された擬似ランダムデータ列に多重化情報が変換された多重化ＩＤを含む同期コードワードを挿入する。この多重化ＩＤには多重化されたコードワードストリームのパリティが偶数か奇数かによって変調後のコードワードストリームに含まれているＤＣ成分を抑圧できるパリティ制御用ビットを置いている。
【００２６】
エンコーダ４０の第１及び第２不十分ＤＣ成分抑圧ＲＬＬ（ｗｅａｋ−ＤＣ  ｆｒｅｅ  ＲＬＬ）エンコーダ４１、４２は付加された多重化情報に係る２チャンネルで構成でき、ＲＬＬ変調方式を利用でき、特に付加ビットが付加された別途のＤＣ成分抑圧用コード変換表を有していないので、リダンダンシーがなければＤＣ成分抑圧は可能であるが、抑圧性能は落ちるコードを使用する不十分ＤＣ成分抑圧ＲＬＬ変調方式を用いられる。ここで、ｍビットのソースデータを最小拘束長ｄと最大拘束長ｋとに制限しつつｎビット（ｎ≧ｍ）のコードワードに変換する変調をＲＬＬ変調という。
【００２７】
すなわち、エンコーダ４０は別途の付加ビットが付加されたＤＣ制御変換表を使用せず、不十分ＤＣ成分抑圧ＲＬＬ変調を行う場合には所定の拘束長条件に合うコードワードを生成し、前記拘束長条件別にコードワードでグルーピングし、ソースワードに対するコード列がＤＣ制御能力を有するようにコードワードで配されている主コード変換表と、前記所定拘束長条件を満たし、前記主コード変換表で必要としないコードワードを取ってＤＣ制御用補助変換表を用いてＲＬＬ変調を行う。ここで、同期コードワード挿入器３０とエンコーダ４０とを変調手段と称しうる。
【００２８】
比較／選択器５０はＲＬＬ変調された２チャンネルの変調ストリームを比較してＤＣ成分の最も小さな変調ストリームを選択する。
【００２９】
一方、本発明では変調前データビット数をｍ、変調後コードワードのビット数をｎとする時、コード率（ｍ／ｎ）を落とさずに、変調後のコードワードストリームに含まれているＤＣ成分をさらに効率よく抑圧可能に同期コードワードを用いてデータを多重化する。
【００３０】
すなわち、本発明の同期コードワードは同期信号であることが分かる同期ボディと多重化情報用ＩＤとに区分されるが、多重化情報ＩＤは同期コードワード内のビット１の数が偶数または奇数で調整するためのパリティ調整用である。例えば、同期コードワードは、図２に示されたように構成できるが、同期ボディは同期信号だけが有する特殊パターンを意味し、特殊パターンは一例として他のコードワードではない最長のランレングスを有するものである。同期コードワード内の多重化ＩＤは全体同期コードワード内のビット１の数を偶数または奇数にする役割をする。このような用途の多重化ＩＤは同期コードワードの他の特徴を区分するための用途の同期ＩＤと付して用いても、混ぜて（兼用）用いても良い。
【００３１】
本発明で提案する最初の同期コードワードは、図２(ａ)Ａに示されたように同期ボディとパリティ制御とが可能な多重化ＩＤで構成されているものであり、２番目の同期コードワードは図２（ｂ）に示されたように同期ボディ、同期ＩＤ及びパリティ制御が可能な多重化ＩＤで構成されているものであり、３番目の同期コードワードは図２（ｃ）に示されたように同期ボディと同期ＩＤ、パリティ制御が可能な多重化ＩＤを兼用して使用可能に構成されているものである。
【００３２】
図３は、同期ボディ及び多重化ＩＤで構成された同期コードワードの一例であって、図２Ａに示された最初の同期コードワードに該当する。
【００３３】
図３において、最小ランレングスが１、最大ランレングスが７である変調コードで同期ボディはｋ条件に違反するランレングスが８を用いて同期信号を区分するようにし、同期コードワード内のパリティを調整するための用途としてパリティ調整用ビット（ｘで表示）が含まれた多重化ＩＤがある場合である。パリティ制御用ビットｘは同期コードワードが、図２のようにいかなる形態に構成されても同じ原理で動作されて同期コードワード内のビット１の数を偶数または奇数にする役割をする。
【００３４】
一方、入力データ列の多重化のための多重化情報を０または１にした時、これに対応する同期／多重化ＩＤはパリティが各々偶数または奇数である同期コードワードにする。
【００３５】
図４は、図１に示された擬似スクランブルを用いた多重化器の構成図であって、多重化情報を０または１にした場合、入力データに対して２つに多重化された入力データストリームを示している。入力データを連続してスクランブルする方式でなく、不連続的にスクランブルする方式を、本発明では擬似スクランブルを用いた多重化方法と名づける。連続してスクランブルを行う多重化方法は、何れかの位置にエラーが発生すれば、そのエラーによってその次のデータにもエラーが発生する。したがって、コード列のＤＣ成分に影響がない限度までデータスクランブルを不連続的にすれば、次のデータまでエラーが伝播される確率を減らせるという長所が生じる。
【００３６】
図４において、ｘｉ，０｜ｘｉ，ｕ−１の所定ビットのデータで構成されたｕバイトの長さを有する入力データ列
【００３７】
【数８】
2004282753.tif 000010
は、１ビットの多重化情報（０または１）と連続的に配置されず、スクランブル周期に該当するｑ番目毎に配された排他的論理和素子による排他的論理和演算を通じて擬似ランダムデータ
【００３８】
【数９】
2004282753.tif 000011
に変換している。
【００３９】
すなわち、先頭の変調するデータ（符号変調単位という）ｘｉ，０と１ビットの初期データ（多重化情報）の排他的論理和演算により、初期データを除いた先頭の符号変調単位の変換データｙｔｉ，０  が生成される。符号変調単位ｘｉ，１からｘｉ，ｑ−１までは排他的論理和演算処理がなされずにそのまま出力していて、前述した変換が終わった符号変調単位のデータｙｔｉ，０  とｑ番目の符号変調単位ｘｉ，ｑとの排他的論理和演算により次の変換データｙｔｉ，ｑが同様に生成される。以下、同様に、ｑ番目の単位で前記入力データ列の最終の符号変調単位まで排他的論理和演算処理が反復される。
【００４０】
図５は、同期コードワードを多重化情報として使用した場合、ＤＣ成分抑圧能力を示すパワースペクトル密度（ＰＳＤ）曲線である。同期コードワード内のパリティを調整できるビットを置いて同期コードワードのパリティが偶数または奇数によって入力データを多重化すれば、ＤＣ成分抑圧が向上する程度を示す。すなわち、図４でスクランブル間隔指数ｑ＝５とし、同期コードワード内のパリティビットでデータを多重化した場合が多重化していない場合より約４ｄＢ程度のＤＣ成分抑圧効果がさらにあった。
【００４１】
以上では本発明の幾つかの実施例のみを説明したが、この実施例に対して本発明の本質を外れない範囲、すなわち本明細書の特許請求の範囲とその均等物の範囲内での変形が可能であるという点は当業者に自明である。
【産業上の利用可能性】
【００４２】
本発明は変調後のコードワードストリームのＤＣ成分を抑圧するためのデータ変調装置に適用され、特に同期コードワードのパリティ情報を用いてＤＣ成分の抑圧が可能なデータ変調装置に適用されうる。
【図面の簡単な説明】
【００４３】
【図１】本発明に係るデータ変調装置の一実施例に係るブロック図である。
【図２】本発明で使用する同期用コードワードの構成を示す図である。
【図３】同期ボディと多重化識別子（ＩＤ）とで構成された同期コードワードの一例である。
【図４】多重化情報０または１に対して２つに多重化された入力データストリームを生成する図１に示された擬似スクランブルを用いた多重化器の構成図である。
【図５】本発明に係る同期コードワードでデータを多重化した場合のＤＣ成分抑圧性能改善効果を示すＰＳＤ曲線である。
【符号の説明】
【００４４】
１０  分割器
２０  多重化器
３０  同期コードワード挿入器
３１，３２  第１及び第２同期／多重化ＩＤ挿入器
４０  エンコーダ
４１，４２  第１及び第２不十分ＤＣ成分抑圧ＲＬＬンコーダ
５０  比較／選択器
【図１】
2004282753.tif 000012
【図２】
2004282753.tif 000013
【図３】
2004282753.tif 000014
【図４】
2004282753.tif 000015
【図５】
2004282753.tif 000016